(57)【要約】【課題】開き戸開閉時の気圧変化が穏やかな調剤用クリーンルームユニットを実現する。【解決手段】開き戸６０を装備した作業ユニット３０と、作業台４１を有するクリーンベンチ４０と、作業ルーム３４に清浄な空気を送給しつつクリーンベンチ４０から排気する圧力調整可能な給排気系（７１，７２等）と、作業ルーム３４の気圧を陰圧か他の圧力に切り替えて異質な調剤作業の遂行を可能にする制御装置２２とを備え、開き戸６０の開閉時には、ダンパ操作部材の手動操作に応じて又は開き戸６０の開閉や操作を検出して自動で、給気側ダンパ１８，排気側ダンパ１５，常閉ダンパ９０を開かせる。【選択図】        図１
2010255914.tif 000002
【特許請求の範囲】
【請求項１】
作業者出入用の開き戸を有しそれを閉めると外部から隔離される作業ルームと、作業台の一端とその上の作業用開口とを前記作業ルームに臨ませたクリーンベンチと、前記作業ルームに清浄な空気を送給しつつ前記クリーンベンチから排気する圧力調整可能な給排気系と、前記給排気系に対する動作制御を行うに際して前記作業ルームの気圧を陰圧か他の圧力に切り替えて異質な調剤作業の遂行を可能にする制御装置とを備えており、建物の内部に独立に設置される調剤用クリーンルームユニットにおいて、前記制御装置の制御に従って前記給排気系の給排気経路の開度を可変することにより前記作業ルームの気圧の切り替えを実行するダンパが前記給排気系に装備されており、前記制御装置が前記開き戸の開閉時には前記ダンパを全開させるようになっていることを特徴とする調剤用クリーンルームユニット。
【請求項２】
作業者出入用の開き戸を有しそれを閉めると外部から隔離される作業ルームと、作業台の一端とその上の作業用開口とを前記作業ルームに臨ませたクリーンベンチと、前記作業ルームに清浄な空気を送給しつつ前記クリーンベンチから排気する圧力調整可能な給排気系と、前記給排気系に対する動作制御を行うに際して前記作業ルームの気圧を陰圧か他の圧力に切り替えて異質な調剤作業の遂行を可能にする制御装置とを備えており、建物の内部に独立に設置される調剤用クリーンルームユニットにおいて、常態では閉じているが開時は前記作業ユニットの内外を連通させるダンパが前記作業ユニットに装備されており、前記開き戸の開閉時には前記ダンパを開かせるようになっていることを特徴とする調剤用クリーンルームユニット。
【請求項３】
前記ダンパの開動作を指示するダンパ操作部材が設けられており、前記ダンパ操作部材の操作に応じて前記開き戸の開閉操作所要時間より長く前記ダンパを開かせることにより、前記開き戸の開閉時に前記ダンパを開かせるようになっていることを特徴とする請求項１又は請求項２に記載された調剤用クリーンルームユニット。
【請求項４】
前記開き戸の開閉を検出する開閉検出器が設けられており、前記開閉検出器の検出結果に基づき前記開き戸が閉まっているときには前記ダンパを閉じさせるが前記開き戸が開きかけたとき及び開いているときには前記ダンパを開かせることにより、前記開き戸の開閉時に前記ダンパを開かせるようになっていることを特徴とする請求項１又は請求項２に記載された調剤用クリーンルームユニット。
【請求項５】
前記開き戸の開閉操作部材の状態を検出する操作検出器が設けられており、前記操作検出器の検出結果に基づき前記開き戸の開閉操作を検知したときにも前記ダンパを開かせるようになっていることを特徴とする請求項４記載の調剤用クリーンルームユニット。
【発明の詳細な説明】
【技術分野】
【０００１】
この発明は、作業者出入用の開き戸を装備した作業ルームとそれに作業台上の作業用開口を臨ませたクリーンベンチとが一体化されて、一人か小人数で調剤作業を行うのに好適なものとなっており、建物の内部に独立に設置される調剤用クリーンルームユニットに関する。
【背景技術】
【０００２】
［公知の技術］
調剤作業に適するよう改良された従来のクリーンルームユニットは（例えば特許文献１参照）、外部から隔離される作業ルームと、作業用開口を有しその作業用開口が前記作業ルームに臨むように設けられたクリーンベンチユニットとを備え、建物の内部に独立に設置されるものであって、前記作業ルームとクリーンベンチユニット内の空気の清浄化と圧力調整を行うことが可能であり而も作業ルームにエアシャワーを発生可能な空気調整システムと、前記空気調整システムの動作制御を行うに際して作業ルームにエアシャワーを発生させるエアシャワーモードと作業ルームを陽圧又は陰圧にして調剤作業を可能にする作業モードとに切り換え可能な空気調整制御手段とを備えている。
【０００３】
このように作業ルームにエアシャワーを発生させて作業者の除塵を可能にするとともにそのエアシャワーを空気調整システムで発生させるようにしたことにより小型化・低コスト化が実現されている。また、陽圧と陰圧とを切り替えることにより、抗ガン剤などの劇薬を調剤するときには作業ルームを陰圧にして薬剤の外部漏れを防止し、他の薬剤を調剤するときには作業ルームを陽圧にして汚染物質の侵入を防止することができる。
なお、前記作業ルームには作業者用の出入口を開閉する開閉ドア（開き戸）が設けられており、前記クリーンベンチユニットには前記作業用開口を開閉する開閉シャッタが装備されており、前記空気調整システムはユニット外から空気を取り入れつつフィルタと作業ルームとクリーンベンチユニットとの間で空気を循環させるようになっている。
【０００４】
［未公開の先行技術］
しかしながら、このような従来の言わばパーソナルな調剤用クリーンルームユニットでは、作業ルームが小形化されても、作業者出入用の開き戸は小さくならない。作業者出入口の開閉には、密閉に適さないうえ移動幅の広い引き戸でなく、密閉に適した開き戸が採用され、そのなかでも小形化のためには片開き扉が採用されるが、作業者の出入りを容易にするには或る程度以上の大きさの開き戸が必要とされるからである。そして、開き戸を開けるとき、短時間とは言え、密閉が解消されるまでの間は、開き具合に応じて密閉空間の容積が増加して、その分だけ内部の気圧が低下する。このため、作業ルームの容積に占める開時流入量の割合が、すなわち開き戸を開けたとき作業ルームに流れ込む空気の量と作業ルームの容積との比が、作業ルームを小さくするほど大きくなって、流入空気による作業ルームやクリーンベンチの汚染もひどくなる。
【０００５】
開き戸を開けた後に作業を再開するには、先ず作業者が作業ルームに入って開き戸を閉め、それからクリーンベンチの作業台や作業ルームの内壁面を拭いたりして清掃しながら給排気を行い、更に清掃終了後も給排気を続行して、作業ルームやクリーンベンチの内部が十分に綺麗になるのを待つのであるが、作業ルームやクリーンベンチの汚れ具合に対応して清浄度確保の待ち時間が長くなり、汚れがひどい場合には一時間を超えて待たされるといった不所望なことも起こりうる。そこで、開き戸の開放による汚染の影響が軽減されるよう、パーソナルな調剤用クリーンルームユニットが次のように改良されている。
【０００６】
すなわち（特許文献２参照）、作業者出入用の開き戸を有しそれを閉めると外部から隔離される作業ルームと、作業台の一端とその上の作業用開口とを前記作業ルームに臨ませたクリーンベンチと、前記作業ルームに清浄な空気を送給しつつ前記クリーンベンチから排気する圧力調整可能な給排気系と、前記給排気系に対する動作制御を行うに際して前記作業ルームの気圧を陰圧か他の圧力に切り替えて異質な調剤作業の遂行を可能にする制御装置とを備えており、建物の内部に独立に設置される調剤用クリーンルームユニットにおいて、前記給排気系は、給気側と排気側とが完全に分離されていて、前記作業ルームへの給気には屋外から取り入れた空気だけが用いられるとともに、前記クリーンベンチからの排気は総て屋外に出されるようになっている、というものが開発されている。
【先行技術文献】
【特許文献】
【０００７】
【特許文献１】ＷＯ２００２００５／１１９１３１号公報
【特許文献２】特願２００８−２６９３１９号
【発明の概要】
【発明が解決しようとする課題】
【０００８】
このように給気系と排気系を完全分離した上記の調剤用クリーンルームユニットでは、外気での全量換気に基づく清浄化完了待ち時間の短縮により、開き戸の開放による汚染の影響が少なくて速やかに調剤作業を始めることができるようになっている。
また、先に述べた従来の調剤用クリーンルームユニットでは、空気調整システムで作業ルームにエアシャワーを発生させることにより、作業者の除塵の機能を損なうことなく小型化・低コスト化を実現するとともに、抗ガン剤などの劇薬を調剤するときには作業ルームを陰圧にして薬剤の外部漏れを防止することができるようになっている。
【０００９】
そして、それらの調剤用クリーンルームユニットを試作してみたところ、所期の作用効果を発揮することも確認することができた。
しかしながら、実用化に際しては更なる改良の要請が生じた。具体的には、ユニットが小形になるほど開き戸の開閉による作業ルーム内の気圧変化が急激になって、それが作業者の不安感や不快感を煽ることもあるため、開き戸の開閉時の作業ルーム内の気圧変化を緩和することが求められる。
そこで、開き戸開閉時の作業ルーム気圧変化が穏やかな調剤用クリーンルームユニットを実現することが技術的な課題となる。
【課題を解決するための手段】
【００１０】
本発明の調剤用クリーンルームユニットは（解決手段１）、このような課題を解決するために創案されたものであり、作業者出入用の開き戸を有しそれを閉めると外部から隔離される作業ルームと、作業台の一端とその上の作業用開口とを前記作業ルームに臨ませたクリーンベンチと、前記作業ルームに清浄な空気を送給しつつ前記クリーンベンチから排気する圧力調整可能な給排気系と、前記給排気系に対する動作制御を行うに際して前記作業ルームの気圧を陰圧か他の圧力に切り替えて異質な調剤作業の遂行を可能にする制御装置とを備えており、建物の内部に独立に設置される調剤用クリーンルームユニットにおいて、前記制御装置の制御に従って前記給排気系の給排気経路の開度を可変することにより前記作業ルームの気圧の切り替えを実行するダンパが前記給排気系に装備されており、前記制御装置が前記開き戸の開閉時には前記ダンパを全開させるようになっていることを特徴とする。
【００１１】
また、本発明の調剤用クリーンルームユニットは（解決手段２）、作業者出入用の開き戸を有しそれを閉めると外部から隔離される作業ルームと、作業台の一端とその上の作業用開口とを前記作業ルームに臨ませたクリーンベンチと、前記作業ルームに清浄な空気を送給しつつ前記クリーンベンチから排気する圧力調整可能な給排気系と、前記給排気系に対する動作制御を行うに際して前記作業ルームの気圧を陰圧か他の圧力に切り替えて異質な調剤作業の遂行を可能にする制御装置とを備えており、建物の内部に独立に設置される調剤用クリーンルームユニットにおいて、常態では閉じているが開時は前記作業ユニットの内外を連通させるダンパが前記作業ユニットに装備されており、前記開き戸の開閉時には前記ダンパを開かせるようになっていることを特徴とする。
【００１２】
また、本発明の調剤用クリーンルームユニットは（解決手段３）、上記解決手段１，２の調剤用クリーンルームユニットであって、前記ダンパの開動作を指示するダンパ操作部材が設けられており、前記ダンパ操作部材の操作に応じて前記開き戸の開閉操作所要時間より長く前記ダンパを開かせることにより、前記開き戸の開閉時に前記ダンパを開かせるようになっていることを特徴とする。
【００１３】
さらに、本発明の調剤用クリーンルームユニットは（解決手段４）、上記解決手段１，２の調剤用クリーンルームユニットであって、前記開き戸の開閉を検出する開閉検出器が設けられており、前記開閉検出器の検出結果に基づき前記開き戸が閉まっているときには前記ダンパを閉じさせるが前記開き戸が開きかけたとき及び開いているときには前記ダンパを開かせることにより、前記開き戸の開閉時に前記ダンパを開かせるようになっていることを特徴とする。
【００１４】
また、本発明の調剤用クリーンルームユニットは（解決手段５）、上記解決手段４の調剤用クリーンルームユニットであって、前記開き戸の開閉操作部材の状態を検出する操作検出器が設けられており、前記操作検出器の検出結果に基づき前記開き戸の開閉操作を検知したときにも前記ダンパを開かせるようになっていることを特徴とする。
【発明の効果】
【００１５】
このような本発明の調剤用クリーンルームユニットにあっては（解決手段１，２）、開き戸の開閉時にはダンパが開いて作業ルームの気密性が一時的に破られるので、開き戸の開閉時の作業ルーム内の気圧変化が緩和される。
したがって、この発明によれば、開き戸開閉時の作業ルーム気圧変化が穏やかな調剤用クリーンルームユニットを実現することができる。
【００１６】
また、本発明の調剤用クリーンルームユニットにあっては（解決手段３）、気圧変化の緩和が手動操作によって具現化される。
さらに、本発明の調剤用クリーンルームユニットにあっては（解決手段４）、気圧変化の緩和が開き戸の開閉状態に応じた自動制御で具現化される。
また、本発明の調剤用クリーンルームユニットにあっては（解決手段５）、開き戸を開けようとした準備段階で気圧変化緩和の自動制御が素早く開始されるので、気圧変化の緩和がより的確になされる。
【図面の簡単な説明】
【００１７】
【図１】本発明の調剤用クリーンルームユニットの実施例１について、（ａ）が設置状態を示す設置先建物の縦断面図、（ｂ）がユニットの全体外観を示す正面図、（ｃ）が空気流路を示す内部模式図、（ｄ）が給排気系の構成を示すブロック図である。
【図２】本発明の調剤用クリーンルームユニットの実施例２について、（ａ）が開き戸を閉めたときの扉周辺部の外観図、（ｂ）がそのときの扉周辺部の内観図、（ｃ）が開き戸を開けるために開閉操作部材を操作したときの扉周辺部の外観図、（ｄ）がそのときの扉周辺部の内観図、（ｅ）が開き戸を開けたときの扉周辺部の横断面図、（ｆ）が給排気系の改造部分を示すブロック図である。
【発明を実施するための形態】
【００１８】
このような本発明の調剤用クリーンルームユニットについて、これを実施するのに好適な幾つかの形態を説明する。
【００１９】
実施形態１の調剤用クリーンルームユニットは、上記解決手段の調剤用クリーンルームユニットであって、前記給排気系は、給気側と排気側とが完全に分離されていて、前記作業ルームへの給気には屋外から取り入れた空気だけが用いられるとともに、前記クリーンベンチからの排気は総て屋外に出されるようになっていることを特徴とする。
この場合、給排気系の給気側と排気側とが完全に分離されていて、屋外から取り入れられた空気が作業ルームに送り込まれ、それが総てクリーンベンチを経て屋外に出されるので、作業ルームの清浄化に供する空気は、ユニット内で循環再使用されることなく、ユニットの小形化とも相まって迅速に入れ替えられる。
【００２０】
このように、使用済み空気が循環系に留まる可能性まで無くしたことにより、開き戸の開閉と清掃に続く給排気による清浄化が完了するまで待つのに費やす時間が短縮されることとなる。なお、屋外から作業ルームまで外気を取り込む給気系と作業ルームから空気を吸い出して屋外へ放出する排気系との完全分離により給排気量が増加するので給排気系の強化が必要となるが、ユニットが小さいので負担増も小さく、代わりに循環系が不要になるので、不所望なコストアップは回避・抑制される。したがって、この実施形態によれば、外気での全量換気に基づく清浄化完了待ち時間の短縮により、開き戸の開放による汚染の影響が少なくて速やかに調剤作業を始められるパーソナルな調剤用クリーンルームユニットを実現することができる。
【００２１】
実施形態２の調剤用クリーンルームユニットは、上記実施形態１の調剤用クリーンルームユニットであって、前記給排気系が前記作業台の上方と下方とから吸気して排気側へ運ぶようになっていることを特徴とする。
この場合、給排気のうち排気系によるユニットからの屋外排気に向けた吸気が作業台の上方からなされるのに加えて作業台の下方からもなされる。そのため、開き戸の開閉後の清浄化完了待ち中に作業ルーム内を舞い降りた塵や埃が効率良く除去される。また、散薬等が作業台上から作業ルームへ不所望に入り込んで舞い落ちたようなときでも、その薬剤等は作業台の下を通って作業ルームから速やかに排出されることから、それが例え劇薬であっても被爆の可能性や量が小さくて済むので、調剤作業者の危険性も小さい。
【００２２】
実施形態３の調剤用クリーンルームユニットは、上記実施形態１，２の調剤用クリーンルームユニットであって、前記開き戸の開閉を検出する開閉検出器が設けられるとともに、前記作業ルームの内部に表示器が設けられており、前記制御装置が、前記開閉検出器の検出結果と前記給排気系に対する動作制御の状態とに基づいて前記開き戸の開閉に係る案内表示を前記表示器に行うことを特徴とする。
この場合、開き戸の開閉に係る案内表示が作業ルームの内部の表示器になされる。しかも、その案内表示は開き戸の開閉状態と給排気の実行状態とに応じて行われる。そのため、作業者が作業ルームから出るとき、作業者は案内表示の内容と退室の緊急性とを勘案して適切な時期に開き戸を開けることとなる。調剤作業者の緊急避難を優先する観点から開き戸に施錠するのは好ましくなく少なくとも外側から施錠することはないが、適切な開閉案内表示を見た作業者は、非常時は別としても、大抵は、開き戸の開放による汚染が少ないときに退室する。
【００２３】
実施形態４の調剤用クリーンルームユニットは、上記実施形態１，２の調剤用クリーンルームユニットであって、前記開き戸の開閉操作部材の状態を検出する操作検出器が設けられるとともに、前記作業用開口を開閉するシャッタが前記クリーンベンチに設けられており、前記制御装置が、前記操作検出器の検出結果と前記給排気系に対する動作制御の状態とに基づき給排気中の前記開き戸の開操作を検知して前記シャッタを閉めることを特徴とする。
この場合、開き戸を開けようとした準備段階で早期に、而も自動で、クリーンベンチの作業台上の調剤作業空間と作業ルームとがシャッタで仕切られる。これにより、開き戸が開き始めて作業ルームの気圧が低下しても、そのときには既に調剤作業空間と作業ルームとが仕切られているため、調剤作業空間から作業ルームへ散薬等の汚染物質が流れ込むという不所望な事態の発生を回避・低減することができる。
【００２４】
実施形態５の調剤用クリーンルームユニットは、上記実施形態４の調剤用クリーンルームユニットであって、前記開き戸の開閉を検出する開閉検出器が設けられており、前記制御装置が、給排気中の前記開き戸の開操作を検知した後に、前記開閉検出器の検出結果に基づいて前記開き戸の開動作を検知したとき、前記給排気系に排気を強化させるようになっていることを特徴とする。
この場合、開き戸が開き始めたり開いたりしたときには、排気が強化される。これにより、シャッタの隙間を通って調剤作業空間から作業ルームへ流れ込もうとする汚染物質まで減らして僅少にすることができる。
【００２５】
実施形態６の調剤用クリーンルームユニットは、上記実施形態１〜５の調剤用クリーンルームユニットであって、上記実施形態４，５の調剤用クリーンルームユニットについては前記操作検出器が設けられていることを前提とし、上記実施形態３，５の調剤用クリーンルームユニットについては前記開閉検出器が設けられていることを前提とし、上記実施形態１，２にあっては前記開き戸の開閉を検出する開閉検出器と前記開き戸の開閉操作部材の状態を検出する操作検出器との何れか一方または双方が設けられることを前提として、更に、前記作業ルームを囲う外面のうち前記開き戸の下方に位置する部分に扉下吸気口が形成されており、前記給排気系が前記扉下吸気口からの吸気を選択的に行うものであり、前記制御装置が、給排気中の前記開き戸の開動作または開操作を検知したとき前記給排気系に前記扉下吸気口からの吸気を行わせるようになっていることを特徴とする。
【００２６】
この場合、開き戸を開けようとしたり開けたときには、開き戸の下方のユニット外面から、吸気がなされる。
これにより、例え開き戸を開けたときに開き戸に追従する気流に運ばれて散薬等が作業ルームから室外へ舞い降りたような場合でも、その散薬等は大部分が速やかに吸い込まれてうえで排気側に運ばれるので、ユニット外の汚染まで回避・抑制することができる。
【００２７】
このような本発明の調剤用クリーンルームユニットについて、これを実施するための具体的な形態を、以下の実施例１〜２により説明する。
図１に示した実施例１は、上述した解決手段１〜３（出願当初の請求項１〜３）と実施形態１〜２を具現化したものであり、図２に示した実施例２は、上述した解決手段４〜５（出願当初の請求項４〜５）と実施形態３〜６を具現化したものである。
なお、それらの図示に際しては、簡明化等のため、ボルト等の締結具，ヒンジ等の連結具，電気回路や電子回路の詳細などは図示を割愛し、発明の説明に必要なものや関連するものを中心に図示した。
【実施例１】
【００２８】
本発明の調剤用クリーンルームユニットの実施例１について、その具体的な構成を、図面を引用して説明する。図１は、（ａ）がクリーンルームユニット２０の設置状態を示す設置先の建物１０の縦断面図、（ｂ）がクリーンルームユニット２０の全体外観を示す正面図、（ｃ）がクリーンルームユニット２０の中の空気流路（給排気経路）を示す内部模式図、（ｄ）が給排気系の構成を示すブロック図である。
【００２９】
クリーンルームユニット２０は、既述した公知品と同様（特許文献１参照）、建物１０の内部に独立に設置される調剤用クリーンルームユニットであって（図１（ａ）参照）、一人か小人数で調剤作業を行うのに好適なよう小形化されており（図１（ｂ）参照）、底部２１上に作業ユニット３０とクリーンベンチ４０とパスユニット５０とが設置され、作業ユニット３０に対して左右からクリーンベンチ４０とパスユニット５０とが連結されて、それらが密閉可能な一体のハウジングに収まっている。
【００３０】
もっとも、クリーンルームユニット２０は、そのような公知品と異なり、既述した未公開の改良品を踏襲したうえで（特許文献２参照）、更に改良を加えたものである。具体的には、クリーンルームユニット２０から出た給気ダクト１２は建物１０の外まで延びて外気取入口１１から外気を取り込めるようになっており、また、クリーンルームユニット２０から出た排気ダクト１３，１４は合流後に排気側ダンパ１５（陰陽切替ダンパ）やフィルタさらには送風機１６を経てから建物１０の外まで延びていてクリーンルームユニット２０から吸い出した排気を屋外排気口１７から屋外へ放出できるようになっている。
【００３１】
作業ユニット３０は（図１（ｃ）参照）、やはり既述品と同様、送風機７２，７４を内蔵していて給気ダクト１２から空気を取り込む天井裏３１と、作業者出入用の開き戸６０を正面に装備しておりそれを閉めると外部から隔離されて一人か小人数での調剤作業の遂行に十分な密閉空間を確保できる作業ルーム３４と、天井裏３１から作業ルーム３４へ穏やかに清浄な空気を送り込む送気口３２と、天井裏３１から作業ルーム３４へ勢い良くエアシャワーを吹き付ける噴気口３３とを、具えている。
【００３２】
クリーンベンチ４０は、台上に調剤作業空間の確保された作業台４１と、その調剤作業空間から空気を吸い出して排気側へ送るために作業台４１上で後背側に設けられた台上吸気口４３と、その排気を排気ダクト１３に導く連通路４４及び天井裏４５とを具えたものであり、作業台４１の前端とその上の作業用開口とを作業ルーム３４に臨ませており、その作業用開口がシャッタ４２にて開閉されるようになっている。シャッタ４２が手動だけでなく自動でも開閉できるように、シャッタ４２には図示しない駆動機構が付加されている。また、作業台４１の下に台下吸気口４６が設けられて、そこから作業ルーム３４の空気を吸い出して連通路４７や底部２１の通路などを経由させて排気ダクト１４へ導くようになっている。
【００３３】
パスユニット５０は、作業ユニット３０の一部と言っても良いものであり、開き戸６０を閉じたまま小物の出し入れや洗浄を可能とするパスボックス５１と、その上から作業ルーム３４の空気を吸い出して排気するためにパスボックス５１上で後背側に設けられた箱上吸気口５２と、その排気を排気ダクト１４に導く連通路５３及び天井裏５４とを具えている。このようなパスボックス５１の下には、箱下吸気口５５が設けられて、そこからも作業ルーム３４の空気を吸い出して連通路５６や連通路５３などを経由させて排気ダクト１４へ導くようになっている。
【００３４】
給排気系は（図１（ｄ）参照）、給気側と排気側とが完全に分離されていて、作業ルーム３４への給気には屋外から取り入れた空気だけが用いられるとともに、クリーンベンチ４０からの排気は総て屋外に出されるようになっている。
給気系について詳述すると、外気を外気取入口１１から建物１０内に取り入れ、その空気を給気ダクト１２で天井裏３１へ送り込みフィルタ７１で清浄化してから、送風機７２を作動させれば消音器７３と送気口３２を介して清浄な空気を穏やかに作業ルーム３４に送給し、送風機７４を作動させれば消音器７５と噴気口３３を介して清浄な空気を勢い良く作業ルーム３４に送給するので、定常運転時の清浄空気供給に加えて、入室後の除塵のためのエアシャワーまで、作業ルーム３４で行えるものとなっている。この給気ダクト１２には、開き具合（開度）を可変しうる給気側ダンパ１８が、介挿接続されている。
【００３５】
また、排気系は、台上吸気口４３から天井裏４５の送風機７６で排気ダクト１３へ排気し、箱上吸気口５２と箱下吸気口５５とから天井裏５４の送風機７７で排気ダクト１４へ排気し、両排気を合流させてから排気側ダンパ１５経由で送風機１６にて屋外排気口１７から屋外へ送り出すようになっている。なお、図示は割愛したが、排気系には、適宜箇所に、例えば排気ダクト１３，１４や天井裏４５，５４等に、散薬や塵埃の屋外放出による環境破壊を防止するために、散薬や塵埃を捕獲するフィルタが組み込まれている。
そして、このような給気系と排気系とを具えた給排気系は、外気を取り込んで清浄化した空気だけを作業ルーム３４に送給しつつ、その総てをユニット内で循環させることなくクリーンベンチ４０やパスユニット５０経由で屋外へ放出するものとなっている。
【００３６】
しかも、上記の排気側ダンパ１５（陰陽切替ダンパ）の可変な開き具合（開度）を調節することで、背圧が変わるので、上流側の空気の圧力を調整できるうえ、上記の給気側ダンパ１８の開度の調節も併せて行うことで、容易に陰圧を強化できるものとなっている。排気側ダンパ１５にも給気側ダンパ１８にも開度を連続的に可変するのに好適なモータ駆動の電気式ダンパが採用されていて、そのモータが例えばマイクロプロセッサ組み込みの制御装置２２から制御信号や動作指令を受けるようになっているので、排気側ダンパ１５も給気側ダンパ１８も制御装置２２の制御に従って給排気系の給排気経路の開度を可変することにより作業ルーム３４の気圧の切り替えを実行するダンパとなっている。
【００３７】
さらに、そられのダンパ１５，１８に加えて上記の送風機１６，７２，７４，７６，７７も制御装置２２によって動作制御されるようになっており、図示しない操作パネル等を介して制御装置２２に指示することで、作業ルーム３４の圧力を陰圧にでも常圧にでも陽圧にでも切り替えることができる。既述したように、陰圧は抗ガン剤といった劇薬の調剤作業に適しており、陽圧は他の薬剤の調剤作業に適している。送風機１６，７２，７４，７６，７７のモータ及び駆動回路にはインバータ制御方式のものが採用されていて、それぞれの風量が任意に設定でき更には無段階で可変できるのを前提として、制御装置２２は、各送風機の起動時に風量を例えば１０秒ほど掛けて漸増させるとともに、その後の定常状態では風量を例えば所謂「１／ｆゆらぎ」で幾分かは変動させるようになっている。
【００３８】
また、このクリーンルームユニット２０には、差圧表示器８０と幾つかの微差圧計８１〜８６と常閉ダンパ９０と図示しないダンパ操作部材とが装備されている。差圧表示器８０は作業ルーム３４の内部であって視認しやすいところに取り付けられており（図１（ｃ）参照）、微差圧計８１〜８６は給排気系の給排気経路の各所に分散設置されており（図１（ａ），（ｃ）参照）、常閉ダンパ９０は作業ユニット３０の作業ルーム３４の壁の貫通穴にフィルタと組み合わせて嵌め込まれており（図１（ｂ）参照）、ダンパ操作部材は、上述した操作パネルの一部として具体化しても良いが、ここでは例えば押し釦といった別体の部材からなり、作業ルーム３４の外壁と内壁との何れか一方または双方に対し視認にも手操作にも適した部位に取り付けられている。
【００３９】
常閉ダンパ９０は、例えばモータ駆動の電気式ダンパであるが、小形のもので足り、常態では閉じているが開時は作業ルーム３４の内外を連通させるようになっている。その常閉ダンパ９０の開動作を指示するダンパ操作部材は、それ単独で常閉ダンパ９０の動作制御を行うようにしても良いが、この実施例では、ダンパ操作部材が例えば指押し等で操作されると、その操作を報せる信号が制御装置２２に送出されるようになっている。また、常閉ダンパ９０は、制御装置２２から開指令を受けたときだけ開き、それ以外のときは閉じているようになっている。さらに、制御装置２２は、ダンパ操作部材から操作を報せる信号を受けると、開き戸６０の開け閉めを人手で行うのに通常必要とされる開閉操作所要時間に多少の余裕分を加えた例えば１０秒ほどの時間に亘って、常閉ダンパ９０を開かせるとともに、排気側ダンパ１５と給気側ダンパ１８を全開させるようになっている。
【００４０】
微差圧計８１〜８６には、例えばステンレス製ダイアフラムの微小変位による静電容量変化を直流電圧に変換して出力するものが、小形で使いやすいので、採用されている。微差圧計８１〜８６の出力は、信号ケーブル等で直に差圧表示器８０へ送出されるようにしても良いが、この実施例では、先ず制御装置２２に送られ、それから差圧表示器８０に転送されるようになっている。微差圧計８１は（図１（ａ）参照）、給気ダクト１２に装着されて、その給気経路の内外の差圧を検出するようになっており、微差圧計８２は、排気ダクト１３，１４の合流部に装着されて、その排気経路の内外の差圧を検出するようになっている。また（図１（ｃ）参照）、微差圧計８３は、作業ユニット３０の天井裏３１の外壁に装着されてその給気経路の内外の差圧を検出するようになっている。
【００４１】
さらに（図１（ｃ）参照）、微差圧計８４は、作業ユニット３０の天井裏３１とクリーンベンチ４０の天井裏４５との隔壁や、作業ユニット３０の天井裏３１とパスユニット５０の天井裏５４との隔壁に装着されて、給気経路と排気経路とがすれ違う所で、両経路の差圧を検出するようになっている。また、微差圧計８５は、フィルタの装着された送気口３２や，台上吸気口４３，台下吸気口４６，箱上吸気口５２，箱下吸気口５５の脇に装着されて、給排気経路中で開口用フィルタの上流と下流に位置する二カ所の差圧を検出するようになっている。微差圧計８６は、クリーンベンチ４０の作業台４１の前端上の作業用開口の枠部や上部仕切壁などに装着されて、作業ルーム３４の内部空間と作業台４１の上の調剤作業空間との差圧を検出するようになっている。
【００４２】
制御装置２２と差圧表示器８０は、微差圧計８１〜８６の検出結果の処理を適宜分担しており、その処理によって微差圧計８１〜８６の検出結果を正常か異常か場合分けして差圧表示器８０に表示するとともに、何れか一つでも異常表示になったときには差圧表示器８０から警報音を発するようになっている。正常か異常かに加えて中間まで場合分けしても良く、例えば、差圧の絶対値が所定値以下なら正常レベルとして青色で表示し、差圧の絶対値がそれを少し超えた程度なら注意レベルとして黄色で表示するとともにブザーを間欠的に弱く鳴らし、差圧の絶対値が所定値を大きく超えたなら異常レベルとして赤色で表示するとともにブザーを連続して強く鳴らすようになっている。
【００４３】
また、制御装置２２は、微差圧計８６の検出した差圧については更なる処理も行うようになっており、その差圧が負になった異常時には、その程度に応じて幾つかの自動処理が選択実行される。具体的には、作業ルーム３４の内部空間の気圧よりクリーンベンチ４０の作業台４１の上の調剤作業空間の気圧の方が高い状態が、送風の脈動や信号のノイズ等とみなせる瞬時的な時間は別として、連続的・断続的に継続したときには、差圧が負になった異常状態が生じたと判定するようになっている。
【００４４】
そして、差圧の絶対値が第１閾値を超えたときには、作業台４１の前端上の作業用開口の閉塞を促す作業者向け案内たとえば「クリーンベンチのシャッタをもっと閉めて下さい」といった文字や音声を差圧表示器８０に提示させ、それより異常のレベルが上がって差圧の絶対値が第２閾値を超えたときには、シャッタ４２を自動で閉じさせ、更に異常のレベルが上がって差圧の絶対値が第３閾値を超えたときには、常閉ダンパ９０を自動で開かせるようになっている。
【００４５】
この実施例１のクリーンルームユニット２０について、その使用態様及び動作を、図面を引用して説明する。図１は、（ａ）がクリーンルームユニット２０の設置状態を示す設置先の建物１０の縦断面図、（ｃ）がクリーンルームユニット２０の中の空気の流れを矢印で示している内部模式図である。
【００４６】
クリーンルームユニット２０は建物１０の内部に独立に設置されるが（図１（ａ）参照）、給気ダクト１２の先端の外気取入口１１と排気ダクト１３，１４の先端の屋外排気口１７が建物１０から外に出ているので、給排気系が作動すると、屋外から外気がクリーンルームユニット２０の給気系に取り込まれるとともに、クリーンルームユニット２０の排気系から出る排気は屋外排気口１７から屋外へ放出される。給排気系以外の開口に関して、開き戸６０は作業者の出入り時を除いて閉じておくのが運用の原則であり、開き戸６０の開閉時や差圧異常時は別として定常状態では常閉ダンパ９０も閉じている。
【００４７】
そして、クリーンルームユニット２０の内部では、屋外から取り入れられた空気が清浄化されたうえで作業ルーム３４に送り込まれる。しかも、作業ルーム３４への給気には屋外から取り入れた空気だけが用いられる。また、作業ルーム３４の中の空気は、一部がクリーンベンチ４０の作業台４１の上の調剤作業空間および台上吸気口４３を経て排気ダクト１３へ導かれ、残りがパスユニット５０のパスボックス５１の上の作業空間および箱上吸気口５２とパスボックス５１の下の箱下吸気口５５とクリーンベンチ４０の作業台４１の下の台下吸気口４６とを経て排気ダクト１４へ導かれ、これらの排出空気は総て再び清浄化され最後は屋外に放出される
【００４８】
このような給排気を行うクリーンルームユニット２０を用いて調剤を行うには、先ず給排気の止まっている状態で、ダンパ操作部材を指押し等にて手動操作する。そうすると、給気側ダンパ１８と排気側ダンパ１５が全開するとともに、常閉ダンパ９０が開き、その状態が開閉操作所要時間より長い１０秒ほど維持されるので、その間に、開き戸６０を開けて作業者が作業ルーム３４に入り、さらに開き戸６０を閉める。これにより、開き戸６０の開閉に随伴して引き起こされる空気の流れが作業ルーム３４に閉じこめられることなくユニット内外へ逃げるので、開き戸６０の開閉時の作業ルーム３４内の急激な気圧変化が緩和されるため、作業者は心地よく作業ルーム３４に入ることができる。
【００４９】
それから、吸排気を開始させるが、その際、排気系の送風機７６，７７，１６は選択することなく纏めて作動させる一方、給気系の送風機７２，７４については選択的に作動させる。具体的には、送風機７４は入室後の除塵のためエアシャワーが必要なときだけ作動させ、その後は送風機７２だけ作動させる。シャッタ４２は開けておく。送風機１６，７２，７４，７６，７７がインバータ制御されるので、電力消費が少なくて、運転費用が節約される。そして、送風機の起動時すなわち送風開始時には風量が穏やかに増え、その後の落ち着いた運転状態すなわち定常状態では風量が適度にゆらぐので、作業ルーム３４の中であっても作業者は快適に作業を続けることができる。
【００５０】
そのような給排気が続く作業ルーム３４の中で、作業者は、クリーンベンチ４０の作業台４１の上面や作業ルーム３４の内壁面などを拭いたりして清掃を行い、清掃終了後は作業ルーム３４の内部やクリーンベンチ４０の作業台４１上の調剤作業空間が十分に綺麗になるのを待つのであるが、上述したように作業ルーム３４への給気には屋外から取り入れた空気だけが用いられるうえ、クリーンベンチ４０やパスユニット５０からの排気が総て屋外に出されて、クリーンルームユニット２０の中の空気が速やかに入れ替わって、空気の清浄度が短時間のうちに改善されるので、待ち時間は従来より短縮される。
【００５１】
そして、作業ルーム３４等の空気が十分に綺麗になったら、作業台４１の上の調剤作業空間で調剤作業を行うが、それに先だち、給気側ダンパ１８や排気側ダンパ１５（陰陽切替ダンパ）の開度を調節して、抗ガン剤などの劇薬を調剤する場合は薬剤の外部漏れを防止するため作業ルーム３４を陰圧にしておき、他の薬剤を調剤する場合は汚染物質の侵入を防止するため作業ルーム３４を陽圧にしておく。また、調剤に供する薬剤の搬入や調剤の済んだ薬剤の搬出は、開き戸６０を開閉することなく且つ短時間で済むよう、パスボックス５１を介して行う。
【００５２】
その際、作業台４１の上で調剤作業により舞い上がった散薬等は気流に乗って台上吸気口４３から排出されて作業ルーム３４でなく排気ダクト１３へ運ばれ、パスボックス５１の上で搬入搬出等により舞い上がった塵や埃は連通路５３から吸い出されて作業ルーム３４でなく連通路４４へ運ばれる。また、作業台４１の上から作業ルーム３４の方に舞い降りた散薬等は台下吸気口４６から吸い出され、パスボックス５１の上から作業ルーム３４の方にこぼれ落ちた塵埃は箱下吸気口５５から吸い出されて、何れも連通路５３へ運ばれる。そして、排気系に組み込まれたフィルタによって捕獲されるので、環境を損なうことなく、排気だけが屋外排気口１７から屋外に放出される。
【００５３】
調剤作業が済んだら、給排気系の作動を止め、作業ルーム３４内の作業者は、作業ルーム３４内で給排気系による空気の流れが感じられなくなるのを待って、シャッタ４２を閉めて作業台４１上の調剤作業空間と作業ルーム３４とを仕切り、それから開き戸６０を静かに開けて作業ルーム３４から出るのであるが、作業ルーム３４から出るときも開き戸６０の開閉に先立って、ダンパ操作部材を指押し等にて手動操作する。そうすると、やはり給気側ダンパ１８と排気側ダンパ１５が全開するとともに、常閉ダンパ９０が開き、その状態が開閉操作所要時間より長い１０秒ほど維持されるので、その間に、開き戸６０を開けて作業者が作業ルーム３４から出、さらに開き戸６０を閉める。これによっても、開き戸６０の開閉に随伴して引き起こされる空気の流れが作業ルーム３４に閉じこめられることなくユニット内外へ逃げるので、開き戸６０の開閉時の作業ルーム３４内の急激な気圧変化が緩和されるため、作業者は心地よく作業ルーム３４から出ることができる。
【００５４】
こうして、このクリーンルームユニット２０を用いた調剤作業にあっては、従来より素早く作業を開始して、その分だけ短い時間で、作業を終えることができる。
しかも、ダンパ操作部材を一押しするだけで容易に開き戸６０の開閉による作業ルーム３４の急激な気圧変化を回避することができる。
また、劇薬が作業台４１上から作業ルーム３４へ不所望に入り込んでしまったときでも、その薬剤は作業台４１の上下から速やかに排出されるので、作業者の被爆の危険性が小さい。
【００５５】
以上は、正常な運転に関する説明であるが、本発明のクリーンルームユニット２０にあっては異常時にも被害の発生が未然に防止されるか被害が少なく抑えられる。
すなわち、微差圧計８１〜８６にて検出された差圧が正常範囲にあれば、それぞれの検出結果が差圧表示器８０で青く表示されるが、検出差圧が注意すべき範囲に入ると差圧表示器８０で黄色く表示されるとともに弱い警報音も発せられるため、作業ルーム３４内の作業者は注意を促されるので心構えができる。さらに、微差圧計８１〜８６の検出差圧が異常レベルに達すると、差圧表示器８０で、目立つよう赤い表示がなされるとともに、聞き逃さないよう強い警報音が発せられるため、作業ルーム３４内の作業者は対策実行を促されるので必要な対処をとることができる。
【００５６】
また、微差圧計８６の検出差圧が負になった異常時には、その程度に応じて選択される適切な自動処理が実行される。すなわち、差圧の絶対値が第１閾値を超えた軽度な異常では、「クリーンベンチのシャッタをもっと閉めて下さい」との案内が差圧表示器８０にて提示されるので、作業者は、安全のため調剤作業を中断し、シャッタ４２を手動操作して作業台４１の前端上の作業用開口を閉じる。それでも異常レベルが上がって差圧の絶対値が第２閾値を超えると制御装置２２の判定と制御によってシャッタ４２が自動で閉じ、更に異常レベルが上がって差圧の絶対値が第３閾値を超えるとやはり制御装置２２の判定と制御によって常閉ダンパ９０が自動で開く。こうして、作業台４１上の調剤作業空間から作業ルーム３４への空気逆流が何重にも阻止されるので、作業台４１上の劇薬による不所望な作業者の被爆は高い確度で防止することができる。
【実施例２】
【００５７】
本発明の調剤用クリーンルームユニットの実施例２について、その具体的な構成を、図面を引用して説明する。図２は、（ａ）が開き戸６０を閉めたときの扉周辺部の外観図、（ｂ）がそのときの扉周辺部の内観図、（ｃ）が開き戸６０を開けるために開閉操作部材６１を操作したときの扉周辺部の外観図、（ｄ）がそのときの扉周辺部の内観図、（ｅ）が開き戸６０を開けたときの扉周辺部の横断面図、（ｆ）が給排気系の改造部分を示すブロック図である。
【００５８】
この調剤用クリーンルームユニットが上述した実施例１のクリーンルームユニット２０と相違するのは、開き戸６０の周囲の改造であり、戸開閉表示器６３と操作検出器６４と開閉検出器６５と扉下吸気口２３と開閉ダンパ２４を追加した点と、それらの追加に伴って制御装置２２の機能を強化した点である。
開き戸６０自体は既述品と同じままでも良く、図示した開き戸６０には、密閉性に優れ安価で壁面占有面積が少なくて済む片開き扉が採用され、作業ユニット３０の正面の出入口枠材３５に装着されている。この開き戸６０は、回転ハンドルからなる開閉操作部材６１が内外（裏表）に出ており、スライドロッド等の係止部材６２が内装されている。
【００５９】
作業ユニット３０の出入口枠材３５は、開き戸６０に対応していれば、これも既述品と同じで良く、出入口枠材３５のうち左右の縦枠の何れか一方には、係止部材６２の先端を挿入可能な孔状の被係止部３６が形成されており、他方の縦枠には開き戸６０を支持する蝶番が取り付けられている。そして、出入口枠材３５に装着された開き戸６０は、開閉操作部材６１を手動操作で回すと係止部材６２が完全に引っ込んで係止部材６２と被係止部３６との係合が解消して開閉自在な状態になり、開閉操作部材６１から手を離して自由にするとバネ力等によって開閉操作部材６１が逆回転して元に戻るとともに係止部材６２の先端が突き出すので、閉じると係止部材６２と被係止部３６とが係合して閉状態が維持されるようになっている。なお、施錠はしないので、その機能や部材は不要である。
【００６０】
戸開閉表示器６３は、制御装置２２の制御に従って案内用の文章や記号を表示する例えば液晶パネルであり、作業ルーム３４の内部のうち開き戸６０の近くで作業者の見やすいところ例えば出入口枠材３５に取り付けられている。
操作検出器６４は、例えばフォトセンサやプッシュスイッチからなり、開閉操作部材６１の状態を検出するものであるが、検出結果を制御装置２２に信号等で通知するには開き戸６０側でなく作業ルーム３４本体側に置いた方が簡便かつ安価なので被係止部３６に臨んで出入口枠材３５に設けられ、開閉操作部材６１に連動する係止部材６２の進退状態を検出することで間接的に開閉操作部材６１の状態検出を行うようになっている。
【００６１】
操作検出器６４も例えばフォトセンサやプッシュスイッチで良いが、操作検出器６４は、出入口枠材３５に設けられて開き戸６０の開閉を直接的に検出することができるものであり、その検出結果も制御装置２２に通知されるようになっている。
扉下吸気口２３は、上述した台上吸気口４３等と同じでも良く、例えばパンチングメタルに形成された多数の小穴のようなもので良く、作業ルーム３４を囲う外面のうち開き戸６０の下方に位置する底部２１の部分に形成されている。
扉下吸気口２３は開閉ダンパ２４を介在させて底部２１の連通路に繋がっており、開閉ダンパ２４が制御装置２２の制御に従って開閉することにより、給排気系が扉下吸気口２３からの吸気を選択的に行うようになっている。
【００６２】
制御装置２２は、開閉検出器６５の検出結果と給排気系に対する動作制御の状態とに基づいて開き戸６０の開閉に係る案内表示を戸開閉表示器６３に行うよう機能が拡張されている。具体的には、開き戸６０が開いているのに給排気系を作動させようとしたときには「給排気開始前に扉を閉めて下さい」といった案内を表示し、開き戸６０が閉まったら「給排気が開始できます」といった案内を表示し、給排気中には「扉を開ける前に給排気を止めてください」といった案内を表示し、給排気中に開き戸６０が開いたときには「急いで退室して扉を閉めて下さい」といった案内を表示するようになっている。
【００６３】
また、制御装置２２は、もとより給排気系に対する動作制御の状態に基づいて給排気中か否かが分かっているうえ、開閉操作部材６１が回転操作されて係止部材６２の先端と被係止部３６との係合が解消されると又は解消されかかると、そのことの検出結果が操作検出器６４から通知され、それで開き戸６０の開動作に先立つ開き戸６０の開操作を検知できるので、給排気中に開き戸６０の開操作が行われたときには、シャッタ４２に作業台４１前端上の作業用開口を閉めさせるとともに、開閉ダンパ２４に少し開かせて給排気系に扉下吸気口２３からの吸気を弱く行わせるようになっている。
【００６４】
さらに、制御装置２２は、給排気中の開き戸６０の開操作を検知した後に、開閉検出器６５の検出結果に基づいて給排気中の開き戸６０の開動作を検知したとき、一時的に例えば１〜２秒ほど送風機７６，７７，１６の回転数を最大にする等のことにより給排気系に排気を強化させるとともに、開閉ダンパ２４に大きく開かせて給排気系に扉下吸気口２３からの吸気を強く行わせるようになっている。
また、制御装置２２は、上述したように開閉検出器６５や操作検出器６４の検出結果に基づいて開き戸６０の開閉状態が分かるので、開き戸６０の開閉時に常閉ダンパ９０と給気側ダンパ１８と排気側ダンパ１５を開かせるようになっている。
【００６５】
具体的には、開き戸６０が閉まっているときには、常閉ダンパ９０を完全に閉じさせるとともに、常閉ダンパ９０と給気側ダンパ１８を閉じさせるか圧力調整等に必要な半開き状態にさせるのに対し、操作検出器６４の検出結果に基づいて開き戸６０の開操作が検知され開き戸６０が開きかけたか閉まりきっていないと判定したときと、開閉検出器６５の検出結果に基づいて開き戸６０が開いていると判定したときには、常閉ダンパ９０も給気側ダンパ１８も排気側ダンパ１５も完全に開かせるようになっている。
【００６６】
この実施例２の調剤用クリーンルームユニットを使用した場合、基本的な使い方や動作は上述したクリーンルームユニット２０と同様なので繰り返しとなる説明は割愛し、機能拡張に対応した動作等を詳述する。
作業者が作業ルーム３４に入るときに、ダンパ操作部材を押し忘れたとしても、開き戸６０を開けると、それに応じて自動で常閉ダンパ９０と給気側ダンパ１８と排気側ダンパ１５が開らき、作業者が作業ルーム３４に入って開き戸６０を閉め開閉操作部材６１から手を離すまでは、それらのダンパ９０，１８，１６が閉まらないので、開き戸６０を開閉しても作業ルーム３４内の気圧変化は穏やかで、作業者に不快感は生じない。
【００６７】
しかも、作業者が開き戸６０を開けて作業ルーム３４に入ったときに、開き戸６０をきちんと閉めないで給排気系を作動させようとすると、戸開閉表示器６３に「給排気開始前に扉を閉めて下さい」との案内が表示されるので、閉め忘れによる汚染を回避することができる。
また、開き戸６０が閉まっていれば戸開閉表示器６３に「給排気が開始できます」との案内が表示されるので、作業者は安心して給排気を開始させることができる。
【００６８】
さらに、給排気中には戸開閉表示器６３に「扉を開ける前に給排気を止めてください」との案内が表示されるので、開き戸６０に施錠がされていなくても、うっかり給排気中に開き戸６０を開けてしまう不所望な行為は抑制される。それでいて、作業者が身の危険を感じたときには、開き戸６０が施錠されていないので、緊急脱出することができる。そして、給排気中に開き戸６０が開いたときには、戸開閉表示器６３に「急いで退室して扉を閉めて下さい」との案内が表示され、ユニット内外の相互汚染の抑制が促される。
【００６９】
しかも、作業者が開き戸６０を開けようとして開閉操作部材６１を操作すると、制御装置２２によって開き戸６０の開操作が検知され、それが給排気中に行われた場合は、開き戸６０が実際に開く前に予め自動で、シャッタ４２が閉まって作業台４１上の調剤作業空間と作業ルーム３４とが仕切られるうえ、通常は閉まっている開閉ダンパ２４が少し開いて扉下吸気口２３から吸気が弱いけれども開始される。それから、作業者が開き戸６０を押し開くと、制御装置２２によって給排気中の開き戸６０の開動作が検知されて、一時的にクリーンベンチ４０やパスユニット５０経由の排気が強化されるとともに、開閉ダンパ２４が大きく開いて扉下吸気口２３からの吸気も強化される。
【００７０】
このように、給排気中に開閉操作部材６１の操作で開き戸６０が開けられると予測されるときには、直ちにクリーンベンチ４０の調剤作業空間と作業ルーム３４の内部空間とを仕切るとともに、扉下吸気口２３からの吸い込みを助走的に行っておき、それから実際に開き戸６０が押し開かれたときには、クリーンベンチ４０経由の排気も扉下吸気口２３からの吸い込みも強くなるようにしたことにより、開き戸６０の押し開き時に作業ルーム３４の気圧が一時低下しても、調剤作業空間から作業ルーム３４へ流れ込む散薬等の量を僅少に抑えることができるうえ、開いた開き戸６０の後を追う気流に乗って作業ルーム３４からユニット外へ出て床上の残る散薬等も僅少に抑えることができる。
【００７１】
さらに、作業を終えた作業者が作業ルーム３４から出るときにも、やはりダンパ操作部材を押し忘れたまま開き戸６０を開けようとすると、それに応じて自動で素早く常閉ダンパ９０と給気側ダンパ１８と排気側ダンパ１５が開らく。そして、作業者が開き戸６０を開けて作業ルーム３４から出、さらに開き戸６０を閉めて開閉操作部材６１から手を離すまでは、それらのダンパ９０，１８，１６が閉まらないので、この場合も、開き戸６０を開閉したときの作業ルーム３４内の気圧変化は穏やかなので、作業者に不快な思いをさせることがない。
【００７２】
［その他］
上記実施例では、操作検出器６４の検出結果に基づいて制御装置２２が給排気中の開き戸６０の開操作を検知したときに制御装置２２が給排気系に扉下吸気口２３からの吸気を開始させるようになっていたが、それは行わずに、開閉検出器６５の検出結果に基づいて制御装置２２が給排気中の開き戸６０の開動作を検知したときに初めて制御装置２２が給排気系に扉下吸気口２３からの吸気を開始させるようにしても良い。
また、上記実施例では、開閉操作部材６１が回転ハンドルであったが、開閉操作部材６１は、手動操作にて開き戸６０を開閉できるものであれば他の形状でも良く、例えば回転式のノブや押し引き式の把手でも良い。
【００７３】
さらに、上記実施例では、係止部材６２がスライドロッド・進退棒であったが、係止部材６２は、受止部３６に対する係止と係止解除とを開閉操作部材６１の作動に応じて行えるものであれば他の形状でも良く、例えば回転式のフック・鉤でも良い。
上記実施例では言及しなかったが、消毒機能のあるパスボックスを作業ユニット３０やパスユニット５０に連結しても良く、運転表示灯やインターホンを装備しても良く、椅子を入れておいても良く、人感センサーを取り付けても良く、覗き窓を設けても良く、照明は複数でも良く、シャッタ４２の開閉状態を検出するセンサを設けても良く、調剤指示や薬剤情報などを表示するディスプレイを設けても良い。
【符号の説明】
【００７４】
１０…建物、１１…外気取入口、
１２…給気ダクト、１３，１４…排気ダクト、
１５…排気側ダンパ、１６…送風機、１７…屋外排気口、１８…給気側ダンパ、
２０…クリーンルームユニット、
２１…底部、２２…制御装置、２３…扉下吸気口、２４…開閉ダンパ、
３０…作業ユニット、３１…天井裏、３２…送気口、
３３…噴気口、３４…作業ルーム、３５…出入口枠材、３６…被係止部、
４０…クリーンベンチ、４１…作業台、４２…シャッタ、
４３…台上吸気口、４４…連通路、４５…天井裏、４６…台下吸気口、４７…連通路、
５０…パスユニット、５１…パスボックス、５２…箱上吸気口、
５３…連通路、５４…天井裏、５５…箱下吸気口、５６…連通路、
６０…開き戸（片開き扉）、６１…開閉操作部材、
６２…係止部材、６３…戸開閉表示器、６４…操作検出器、６５…開閉検出器、
７１…フィルタ、７２…送風機、７３…消音器、
７４…送風機、７５…消音器、７６，７７…送風機、
８０…差圧表示器、８１〜８６…微差圧計、９０…常閉ダンパ
【図１】
2010255914.tif 000003
【図２】
2010255914.tif 000004